(57)【要約】【課題】高騒音環境でも確実に通話することができる通話装置を提供する。【解決手段】耳に挿入して装着するイヤーパッド１１ａを有するインナーイヤホン１１と、インナーイヤホン１１が接続されたヘッドセット１２を有し、ヘッドセット１２は、イヤーパッド１１ａを介して入力した音声信号を増幅する増幅器１６と、増幅器１６から入力した信号をアナログ−デジタル変換処理するアナログ−デジタル変換回路１７と、アナログ−デジタル変換回路１７を介して入力した増幅器出力信号から、鼓膜を振動させる音声以外の騒音を除去し、除去後の処理信号をアナログ−デジタル変換回路１７へ出力する信号処理回路１８と、アナログ−デジタル変換回路１７から入力した信号を無線信号として送出する無線モジュール２０と、無線モジュール２０からの出力信号が入力し、受話優先の送話受話切替えを行う送話受話切替え回路２１とを備える。【選択図】図１
2007159109.tif 000002
【特許請求の範囲】
【請求項１】
耳に挿入して装着するイヤーパッドを有するインナーイヤホンと、前記インナーイヤホンが接続されたヘッドセットを有し、
前記ヘッドセットは、
前記イヤーパッドを介して入力した音声信号を増幅する増幅器と、前記増幅器から入力した信号をアナログ−デジタル変換処理するアナログ−デジタル変換回路と、前記アナログ−デジタル変換回路を介して入力した増幅器出力信号から、鼓膜を振動させる音声以外の騒音を除去し、除去後の処理信号を前記アナログ−デジタル変換回路へ出力する信号処理回路と、前記アナログ−デジタル変換回路から入力した信号を無線信号として送出する無線モジュールと、前記無線モジュールからの出力信号が入力し、受話優先の送話受話切替えを行う送話受話切替え回路と
を備える通話装置。
【請求項２】
前記送話受話切替え回路は、
前記無線モジュールの出力信号である受話信号をアナログ−デジタル変換処理する受話用アナログ−デジタル変換回路と、前記受話用アナログ−デジタル変換回路を介して入力した受話信号を音声信号および背景雑音に弁別し、音声信号があるときだけ送話受話切替えを行う受話用信号処理回路とを有することを特徴とする請求項１に記載の通話装置。
【発明の詳細な説明】
【技術分野】
【０００１】
この発明は、通話装置に関し、特に、通話に伴うノイズを除去して確実に通話することができる通話装置に関する。
【背景技術】
【０００２】
従来、直接会話することができない離れた場所での会話のために用いられる通話装置が知られている。このような通話装置は、例えば、口から発せられた音声を電気信号に変換するマイクロホンと、マイクロホンから入力した電気信号を制御処理して有線或いは無線により出力し、又は有線或いは無線により入力した電気信号を制御処理して出力する制御装置と、制御装置から出力された電気信号に基づき耳に音声として伝えるヘッドホンとを有している。
このような通話装置として、例えば、「作業現場用交信機」（特許文献１参照）や「対話型端末装置、その通話制御方法、およびそのプログラム」（特許文献２参照）が知られている。
【０００３】
「作業現場用交信機」は、携帯電話端末、簡易型携帯電話端末、携帯無線通信端末等の通信端末に接続した送受話器を設けたヘルメット又はヘッドセットにおいて、受話器と送話器の夫々に周囲騒音を消音するノイズキャンセル手段を設けることにより、送信側の周囲騒音を除いて送信側の音声のみを送信し、その送信された音声を、受信側の周囲騒音を除いた状態で聴取し、双方騒音環境内の別の作業場所にいる装着者同士が極めて明瞭な音声を授受して相互に意思の通じ合った会話をする。
【０００４】
また、「対話型端末装置、その通話制御方法、およびそのプログラム」は、対話型端末装置に、話者の頭蓋骨から音声振動をピックアップし、送話音声信号に変換する骨伝導マイクと、ネットワークに上記送話音声信号を送出し、上記ネットワークから受話音声信号を受信する無線手段と、当該無線手段により受信した受話音声信号を音声振動に変換し、上記話者の頭蓋骨に伝導する骨伝導スピーカと、上記話者の周辺音声を採取するノーマルマイクと、上記ノーマルマイクにより採取された周辺音声を位相反転する位相反転回路と、当該位相反転回路により位相反転された周辺音声を騒音中和音声として出力するノーマルスピーカと、を設ける。
【特許文献１】特開２００５−０７２７０３号公報
【特許文献２】特開２００３−１４３２５３号公報
【発明の開示】
【発明が解決しようとする課題】
【０００５】
しかしながら、例えば、土木建築現場や工場や飛行場等のような騒音が大きい高騒音環境では、騒音によって通話内容が殆ど聞き取れず、通話すること自体が困難だった。
即ち、従来の「作業現場用交信機」のようなヘッドセットでは、極めて厳しい騒音環境下では口や頭の振動を通して鼓膜に伝わる騒音は除去することができず、また、指向性マイクであっても、マイクの位置が移動してしまうことによって音声が正しく集音できないことがあった。
また、従来の「対話型端末装置、その通話制御方法、およびそのプログラム」のような骨伝導マイクを用いた技術では、音声が空気中を伝播してきた音声信号ではなく、話者の身体（特に骨）を伝播して発生する信号であるため、個々人の身体的特徴や装着度合いによるばらつきが大きいという問題もあった。
【０００６】
更に、これらの共通的な技術である位相反転によるノイズキャンセルについても、採取される周囲騒音のレベルが７５ｄＢを越えるような高環境環境や周波数帯域が同じ音声騒音の場合、除去するのは不可能であった。また、例えば、工場では両手を使って作業をしているため、指向性マイクでの音声入力の場合、マイクの位置が移動してしまうと口の近くに持ってくることが困難であった。
この発明の目的は、高騒音環境でも確実に通話することができる通話装置を提供することである。
【課題を解決するための手段】
【０００７】
上記目的を達成するため、この発明に係る通話装置は、耳に挿入して装着するイヤーパッドを有するインナーイヤホンと、前記インナーイヤホンが接続されたヘッドセットを有し、前記ヘッドセットは、前記イヤーパッドを介して入力した音声信号を増幅する増幅器と、前記増幅器から入力した信号をアナログ−デジタル変換処理するアナログ−デジタル変換回路と、前記アナログ−デジタル変換回路を介して入力した増幅器出力信号から、鼓膜を振動させる音声以外の騒音を除去し、除去後の処理信号を前記アナログ−デジタル変換回路へ出力する信号処理回路と、前記アナログ−デジタル変換回路から入力した信号を無線信号として送出する無線モジュールと、前記無線モジュールからの出力信号が入力し、受話優先の送話受話切替えを行う送話受話切替え回路とを備えている。
【０００８】
また、前記送話受話切替え回路に、前記無線モジュールの出力信号である受話信号をアナログ−デジタル変換処理する受話用アナログ−デジタル変換回路と、前記受話用アナログ−デジタル変換回路を介して入力した受話信号を音声信号および背景雑音に弁別し、音声信号があるときだけ送話受話切替えを行う受話用信号処理回路とを設けても良い。
【発明の効果】
【０００９】
この発明によれば、耳に挿入して装着するイヤーパッドを有するインナーイヤホンと、インナーイヤホンが接続されたヘッドセットを有し、ヘッドセットの増幅器により、イヤーパッドを介して入力した音声信号が増幅され、アナログ−デジタル変換回路により、増幅器から入力した信号がアナログ−デジタル変換処理され、信号処理回路により、アナログ−デジタル変換回路を介して入力した増幅器出力信号から、鼓膜を振動させる音声以外の騒音が除去され、除去後の処理信号がアナログ−デジタル変換回路へ出力され、無線モジュールにより、アナログ−デジタル変換回路から入力した信号が無線信号として送出され、送話受話切替え回路により、無線モジュールからの出力信号が入力して受話優先の送話受話切替えが行われる。
【００１０】
これにより、高騒音環境でも確実に通話することができる。また、送話受話切替え回路に、無線モジュールの出力信号である受話信号をアナログ−デジタル変換処理する受話用アナログ−デジタル変換回路と、受話用アナログ−デジタル変換回路を介して入力した受話信号を音声信号および背景雑音に弁別し、音声信号があるときだけ送話受話切替えを行う受話用信号処理回路とを設けると、背景雑音の影響を小さくし、受話側から送話側への切替えを円滑に行うことができる。
【発明を実施するための最良の形態】
【００１１】
以下、この発明を実施するための最良の形態について図面を参照して説明する。
図１は、この発明の一実施の形態に係る通話装置の構成を示すブロック図であり、図２は、図１の通話装置の使用状態の一例を示し、（ａ）はヘルメット装着状態の説明図、（ｂ）はポケット携帯状態の説明図である。
図１に示すように、通話装置１０は、耳に挿入して装着するイヤーパッド１１ａを有するインナーイヤホン１１と、インナーイヤホン１１が接続されたヘッドセット１２を有している。インナーイヤホン１１は、マイク機能を有する、耳に挿入するイヤホンであり、マイクが無くても音声を伝達することができる。マイクの位置を気にする必要がないため、装着が容易である。
【００１２】
図２に示すように、インナーイヤホン１１は、装着が容易なため、ヘッドセット１２を、ヘルメットＨに装着した（（ａ）参照）り、ストラップで首から吊したり、上着の襟元に取り付けたり、ポケットＰに入れた（（ｂ）参照）りしても邪魔にならない。また、小型化することで耳に固定することも可能である。
インナーイヤホン１１の本来の機能は、電気信号として入ってくる音を振動変換して鼓膜に伝え、逆に、振動板で鼓膜の振動を拾い電気信号に変換する。耳の内側壁に接触したイヤーパッド１１ａにより、インナーイヤホン１１を耳に装着すると同時に、外部からの騒音による鼓膜振動を抑えている。音を発するときに鼓膜を振動させる要因としては、音声だけでなく、鼻や口の孔から入ってくる外部音、頭自体を振動させる外部音もあり、これらは、発声する音に対してはノイズに過ぎない。
【００１３】
ヘッドセット１２は、本体ケース１２ａの内部に、イヤホン接続部１３、第１切替スイッチ１４、第２切替スイッチ１５、増幅器（ＡＭＰ）１６、アナログ−デジタル変換回路（ＣＯｄｅｒ  ＤＥＣｏｒｄｅｒ：ＣＯＤＥＣ）１７、信号処理回路（Ｄｉｇｉｔａｌ  Ｓｉｇｎａｌ  Ｐｒｏｃｅｓｓｏｒ：ＤＳＰ）１８、第３切替スイッチ１９、無線モジュール２０、送話受話切替え回路（Ｖｏｉｃｅ  Ｏｆ  ｅＸｃｈａｎｇｅ：ＶＯＸ）２１、充電回路２２、リチウムイオン電池２３、及び直流入力（ＤＣ−ＩＮ）部２４を備えている。
【００１４】
本体ケース１２ａの外表面には、イヤホン接続部１３と直流入力部２４の各接続端が露出すると共に、複数個のスイッチ２５及び２個のＬＥＤ（Ｌｉｇｈｔ  Ｅｍｉｔｔｉｎｇ  Ｄｉｏｄｅ）２６ａ，２６ｂが設けられている。
第１切替スイッチ１４は、可動端がイヤホン接続部１３に、第１固定端が第２切替スイッチ１５の第１固定端に、第２固定端が無線モジュール２０の出力端（ＯＵＴ）に、それぞれ接続している。第２切替スイッチ１５は、可動端が増幅器１６に、第１固定端が第１切替スイッチ１５の第１固定端に、第２固定端がアース端に、それぞれ接続している。第３切替スイッチ１９は、可動端が無線モジュール２０の入力端（ＩＮ）に、第１固定端がアナログ−デジタル変換回路１７に、第２固定端がアース端に、それぞれ接続している。
【００１５】
第２切替スイッチ１５の可動端に接続された増幅器１６は、インナーイヤホン１１から入ってくる微弱な電気信号を増幅する機能と共に、音声帯域以外の信号を除去するフィルタを有しており、処理信号をアナログ−デジタル変換回路１７へ出力する。増幅器１６に接続されアナログ−デジタル変換回路１７は、増幅器１６から入力した信号をアナログ−デジタル変換処理する。
【００１６】
アナログ−デジタル変換回路１７に接続された信号処理回路１８は、アナログ−デジタル変換回路１７を介して入力した増幅器１６からの出力信号から、鼓膜を振動させる音声以外の騒音を除去し、除去後の処理信号をアナログ−デジタル変換回路１７へ出力する。アナログ−デジタル変換回路１７は、信号処理回路１８から入力した信号をデジタル−アナログ変換処理する。
つまり、信号処理回路１８は、インナーイヤホン１１のイヤーパッド１１ａだけでは除去できないノイズを信号処理により除去しており、音を発生する前の騒音を予め取り込み、音声と一緒に入ってくる信号からこの騒音のみを抽出することを目的とする。
【００１７】
第３切替スイッチ１９に接続された無線モジュール２０は、アナログ−デジタル変換回路１７から入力した信号を無線信号としてアンテナ２０ａから送出する。騒音を除去した音声信号を、無線を介してＰＤＡ（Ｐｅｒｓｏｎａｌ  Ｄｉｇｉｔａｌ  Ａｓｓｉｓｔａｎｔ：ＰＤＡ）、ＰＣ（Ｐｅｒｓｏｎａｌ  Ｃｏｍｐｕｔｅｒ）、携帯電話、制御機器等と通信することにより、有線（ケーブル）によるシステム構成の困難さや煩わしさを無くすことができる。
【００１８】
無線方法としては、微弱無線、特定小電力無線、ブルートゥース（Ｂｌｕｅｔｏｏｔｈ）、ＷｉＦｉ（Ｗｉｒｅｌｅｓｓ  Ｆｉｄｅｌｉｔｙ）、ＰＨＳ（Ｐｅｒｓｏｎａｌ  Ｈａｎｄｙｐｈｏｎｅ  Ｓｙｓｔｅｍ）等が考えられるが、ヘッドセットプロファイルを持ったブルートゥースが現状での構成が容易であり、ブルートゥースを採用することが望ましい。しかしながら、将来的には、超広帯域無線（Ｕｌｔｒａ  Ｗｉｄｅ  Ｂａｎｄ：ＵＷＢ）や通信速度を高速化した短距離無線通信規格のＺｉｇＢｅｅも候補として考えられる。
【００１９】
無線モジュール２０からの出力信号が入力する送話受話切替え回路２１は、自然な通話を可能にするため、受話優先の送話受話切替えを行う。送話受話切替え回路２１からの出力信号により、第１切替スイッチ１４、第２切替スイッチ１５、及び第３切替スイッチ１９の切り替えが行われる。送話時は、第１切替スイッチ１４の可動端と第１固定端が、第２切替スイッチ１５の第１固定端と可動端が、第３切替スイッチ１９の第１固定端と可動端が、それぞれ接続され、受話時は、第１切替スイッチ１４の可動端と第２固定端が、第２切替スイッチ１５の第２固定端と可動端が、第３切替スイッチ１９の第２固定端と可動端が、それぞれ接続される。
【００２０】
充電回路２２は、直流入力部２４から入力した直流電力により、リチウムイオン電池２３を充電する。各スイッチ２５は、無線モジュール２０に接続されて各種切替処理を行い、ＬＥＤ２６ａは、無線モジュール２０に接続されて無線モジュール２０の動作に関連して点灯し、ＬＥＤ２６ｂは、充電回路２２に接続されて充電回路２２の動作に関連して点灯する。
【００２１】
人が会話する場合、耳で聞き、口で話すが、騒音が大きいと聞き取り難い。この場合、マイクと拡声器を使えば会話は可能であるが、装置が大き過ぎるし、拡声器用のマイクでは騒音が混じるために、音声認識用データとしては適しない。そこで、音楽観賞用ヘッドホンを使えば、騒音は除去することができるが、煩わしい。最近多くなってきた、耳の中に挿入して使用する音楽観賞用のイヤーパッドを備えたイヤホン（インナーイヤホン）を用いれば、煩わしさがなくなる。
【００２２】
イヤホンを使って聞く場合は、イヤホンの振動板の振動を鼓膜に伝えて聞いている。逆に、イヤホンに振動を与えると、マイクと同じ原理で、振動に応じた電気信号が発生する。また、人は、話すときは喉をふるわせて口から音を発するが、このとき、発生した音の振動が、非常に微弱ではあるが耳の鼓膜も振動させている。この原理を利用して、イヤホンに伝わる振動を検出することができれば、鼓膜からイヤホンを通して音が出せる。インナーイヤホンの場合、耳から入ってくる騒音は、イヤホンを耳に装着するための機能も併せ持つパッドによって、ある程度減少させることが可能である。
【００２３】
また、騒音は、耳からだけでなく、鼻や口、頭の振動を通してイヤホンの振動板に伝わってくるので、イヤーパッドによる騒音除去には限界がある。しかしながら、イヤーパッドの形状によっては、効果的に騒音を除去することができる。
上述した通話装置１０は、イヤーパッドで減衰させた騒音を更に減少させるためにデジタル信号処理を行うことにより、騒音９０ｄＢ以上の高騒音環境下での自然な会話や音声認識エンジンで認識できるレベルのノイズ除去が可能になった。
【００２４】
このように、この発明によれば、耳に挿入して装着するイヤーパッドを有するインナーイヤホンと、インナーイヤホンが接続されたヘッドセットを有し、ヘッドセットの増幅器により、イヤーパッドを介して入力した音声信号が増幅され、アナログ−デジタル変換回路により、増幅器から入力した信号がアナログ−デジタル変換処理され、信号処理回路により、アナログ−デジタル変換回路を介して入力した増幅器出力信号から、鼓膜を振動させる音声以外の騒音が除去され、除去後の処理信号がアナログ−デジタル変換回路へ出力され、無線モジュールにより、アナログ−デジタル変換回路から入力した信号が無線信号として送出され、送話受話切替え回路により、無線モジュールからの出力信号が入力して受話優先の送話受話切替えが行われるので、騒音９０ｄＢ以上の高騒音環境下でも確実に通話することができる。
【００２５】
次に、この発明の他の実施の形態に係る通話装置について説明する。
図３は、この発明の他の実施の形態に係る通話装置の構成を示すブロック図である。図３に示すように、通話装置３０は、上述した通話装置１０（図１参照）のヘッドセット１２の代わりにヘッドセット３１を有している。ヘッドセット３１は、本体ケース３１ａの内部に、ヘッドセット１２のアナログ方式の送話受話切替え回路２１に代えて、デジタル方式の送話受話切替え回路３２を有すると共に、第１切替スイッチ１４と無線モジュール２０の接続状態を一部変更している。その他の構成及び作用は、通話装置１０と同様である。このため、同一構成要素には同一番号を付して説明を省略する。
【００２６】
送話受話切替え回路３２は、受話用アナログ−デジタル変換回路（ＣＯＤＥＣ）３３と受話用信号処理回路（ＤＳＰ）３４を有している。受話用アナログ−デジタル変換回路３３は、入力側が無線モジュール２０の出力端（ＯＵＴ）に、出力側が第１切替スイッチ１４の第２固定端に、それぞれ接続されている。受話用信号処理回路３４は、受話用アナログ−デジタル変換回路３３に接続されている。なお、第１切替スイッチ１４の第２固定端と無線モジュール２０の出力端（ＯＵＴ）は、直接接続されていない。
【００２７】
送話受話切替え回路３２の受話用アナログ−デジタル変換回路３３は、無線モジュール２０の出力信号である受話信号を、アナログ−デジタル変換処理する。受話用アナログ−デジタル変換回路３３に接続された受話用信号処理回路３４は、受話用アナログ−デジタル変換回路３３を介して入力した、アナログ−デジタル変換された受話信号を音声信号及び背景雑音に弁別し、音声信号があるときだけ送話受話切替えを行う。即ち、受話用信号処理回路３４からの出力信号により、第１切替スイッチ１４、第２切替スイッチ１５、及び第３切替スイッチ１９の切り替えが行われる。
【００２８】
ここで、受話信号の弁別と送話受話切替え方法について詳しく説明する。
図４は、送話受話切替え方法（その１）を説明し、（ａ）は背景雑音が無い場合の音声信号レベルと時間の関係をグラフで示す説明図、（ｂ）は受話と送話の切替状態を示すタイミングチャートである。図５は、送話受話切替え方法（その２）を示し、（ａ）は背景雑音がある場合の音声信号レベル、背景雑音及び固定閾値と時間の関係をグラフで示す説明図、（ｂ）は受話と送話の切替状態を示すタイミングチャートである。図６は、送話受話切替え方法（その３）を示し、（ａ）は背景雑音がある場合の音声信号レベル、背景雑音及び変動閾値と時間の関係をグラフで示す説明図、（ｂ）は受話と送話の切替状態を示すタイミングチャートである。
【００２９】
例えば、図４に示すように、音声信号レベルａが固定閾値ｂを超えた場合に送話受話切替えを行うように設定したとする。この場合、音声信号レベルａが固定閾値ｂ以下の場合（（ａ）参照）には、送話の状態になっている（（ｂ）参照）が、相手が話し始めて、音声信号レベルａが固定閾値ｂを超える（（ａ）参照）と、送話受話切替え信号ｃが受話の状態に切り替わる（（ｂ）参照）。そして、相手が話し終えて、音声信号レベルａが固定閾値ｂ以下（（ａ）参照）になった場合は、予め設定しているオフディレイ時間（β）の経過後に送話の状態に切り替わる（（ｂ）参照）。
【００３０】
なお、受話優先であるため、自分と相手が同時に話しを始めた場合は、受話の状態に切り替わることになる。背景雑音が無い場合は、このように固定閾値ｂを用いても良好な通話を行うことができる。
しかし、図５に示すように、背景雑音レベルｄが大きい場合、音声信号レベルａが固定閾値ｂより小さくても、背景雑音レベルｄが固定閾値ｂを超えてしまう（（ａ）参照）。即ち、音声信号と背景雑音の弁別ができなくなってしまう。この状態では、相手の話が終わっても、受話の状態のままで送話の状態にならず（（ｂ）参照）、自分からの送話ができなくなってしまう。
【００３１】
そこで、通話装置３０は、図６に示すように、変動閾値ｅを用いて音声信号と背景雑音を弁別している。変動閾値ｅは、受話信号レベルの過去の一定時間（τ）の平均値を取り、これに一定値（α）を加えた値とする。一定時間内の背景雑音の平均レベルは略一定であるため、この変動閾値ｅを超えない（（ａ）参照）。通話装置３０は、背景雑音に音声信号が加わった受話信号のレベルが変動閾値ｅを超えたとき、音声信号があると判断して、送話から受話の状態に切り替える（（ｂ）参照）。
【００３２】
変動閾値ｅは、受話信号のレベルの平均値であるため、音声信号が加わると大きくなる。即ち、通話中に、音声信号レベルａが変動閾値ｅを下回る可能性が高くなるが、これは、予め設定するオフディレイ時間（β）を長くして、送話の状態への切替えを遅らせることにより、回避することができる（（ｂ）参照）。つまり、変動閾値ｅを決めるための一定時間（τ）、変動閾値レベルを決めるための一定値（α）、及びオフディレイ時間（β）の３個のパラメータを適切に設定することにより、送話と受話を適切なタイミングで切り替えることができる。このため、受話が途中で途切れたり送話ができなくなることを防止することができ、送信と受信が同時にできない半２重通信を円滑に行うことができる。
【００３３】
このように、通話装置３０は、背景雑音の影響を小さくし、受話側から送話側への切替えを円滑に行うことができるので、高騒音環境下でも確実に通話することができる。
なお、上記説明及び図３においては、送話用のアナログ−デジタル変換回路１７と、受話用のアナログ−デジタル変換回路３３は別の回路としているが、実際の装置として実現するときは、これらの回路を同一のＩＣの上に形成していても良い。同様に、送話用の信号処理回路１８と受話用の信号処理回路３３は別の回路としているが、同一のプロセッサ上で独立したソフトウェアによってそれぞれの処理を行っても、同じ効果を得ることができる。
【図面の簡単な説明】
【００３４】
【図１】この発明の一実施の形態に係る通話装置の構成を示すブロック図である。
【図２】図１の通話装置の使用状態の一例を示し、（ａ）はヘルメット装着状態の説明図、（ｂ）はポケット携帯状態の説明図である。
【図３】この発明の他の実施の形態に係る通話装置の構成を示すブロック図である。
【図４】送話受話切替え方法（その１）を説明し、（ａ）は背景雑音が無い場合の音声信号レベルと時間の関係をグラフで示す説明図、（ｂ）は受話と送話の切替状態を示すタイミングチャートである。
【図５】送話受話切替え方法（その２）を示し、（ａ）は背景雑音がある場合の音声信号レベル、背景雑音及び固定閾値と時間の関係をグラフで示す説明図、（ｂ）は受話と送話の切替状態を示すタイミングチャートである。
【図６】送話受話切替え方法（その３）を示し、（ａ）は背景雑音がある場合の音声信号レベル、背景雑音及び変動閾値と時間の関係をグラフで示す説明図、（ｂ）は受話と送話の切替状態を示すタイミングチャートである。
【符号の説明】
【００３５】
１０，３０  通話装置
１１  インナーイヤホン
１１ａ  イヤーパッド
１２，３１  ヘッドセット
１２ａ，３１ａ  本体ケース
１３  イヤホン接続部
１４  第１切替スイッチ
１５  第２切替スイッチ
１６  増幅器
１７  アナログ−デジタル変換回路
１８  信号処理回路
１９  第３切替スイッチ
２０  無線モジュール
２１  送話受話切替え回路
２２  充電回路
２３  リチウムイオン電池
２４  直流入力部
２５  スイッチ
２６ａ，２６ｂ  ＬＥＤ
３２  送話受話切替え回路
３３  受話用アナログ−デジタル変換回路
３４  受話用信号処理回路
ａ  音声信号レベル
ｂ  固定閾値
ｃ  送話受話切替え信号
ｄ  背景雑音レベル
ｅ  変動閾値
【図１】
2007159109.tif 000003
【図２】
2007159109.tif 000004
【図３】
2007159109.tif 000005
【図４】
2007159109.tif 000006
【図５】
2007159109.tif 000007
【図６】
2007159109.tif 000008